(57)【要約】【課題】基地局、通信システムおよび通信方法を提供する。【解決手段】他の基地局とＣｏＭＰ送信するための複数のブランチと、前記複数のブランチの各々からの送信信号に前記複数のブランチの各々のキャリブレーション係数を乗算する乗算部と、を備える基地局であって、前記キャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整して得られる係数である、基地局。【選択図】図５
2011217045.tif 000002
【特許請求の範囲】
【請求項１】
他の基地局とＣｏＭＰ送信するための複数のブランチと；
前記複数のブランチの各々からの送信信号に前記複数のブランチの各々のキャリブレーション係数を乗算する乗算部と；
を備える基地局であって、
前記キャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整して得られる係数である、基地局。
【請求項２】
前記複数のブランチの各々の前記キャリブレーション係数は、前記複数のブランチの各々の前記個別キャリブレーション係数を、前記基地局のブランチおよび前記他の基地局のブランチ間のブランチキャリブレーションにより取得される前記基地局の前記ブランチの連携キャリブレーション係数を前記基地局の前記ブランチの前記個別キャリブレーション係数で除して得られる調整用係数、に基づいて調整して得られる係数である、請求項１に記載の基地局。
【請求項３】
前記複数のブランチの各々のキャリブレーション係数は、前記複数のブランチの各々の前記個別キャリブレーション係数と前記調整用係数との乗算値である、請求項２に記載の基地局。
【請求項４】
他の基地局とＣｏＭＰ送信するための複数のブランチと；
前記複数のブランチの各々に対するキャリブレーション係数を記憶している記憶部と；
前記複数のブランチの各々からの送信信号にキャリブレーション係数を乗算する乗算部と；
を備える基地局であって、
前記複数のブランチの各々のキャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整することにより更新される、基地局。
【請求項５】
前記複数のブランチの各々の前記キャリブレーション係数は、前記複数のブランチの各々の前記個別キャリブレーション係数を、前記基地局のブランチおよび前記他の基地局のブランチ間のブランチキャリブレーションにより得られる更新係数に基づいて調整することにより更新され、
前記更新用係数は、前記基地局のブランチおよび前記他の基地局のブランチ間のブランチキャリブレーションにより取得される前記基地局の前記ブランチの連携キャリブレーション係数と、補正係数との乗算値を、前記基地局の前記ブランチの前記個別キャリブレーション係数で除して得られる係数であり、
前記補正係数は、前記基地局のブランチおよび前記他の基地局のブランチ間のブランチキャリブレーションにより取得される前記他の基地局の前記ブランチの連携キャリブレーション係数を、前記他の基地局の前記ブランチの利用中の連携キャリブレーション係数とするための係数である、請求項４に記載の基地局。
【請求項６】
複数の基地局を備え、
前記複数の基地局の各々は、
他の基地局とＣｏＭＰ送信するための複数のブランチ、
前記複数のブランチの各々からの送信信号に前記複数のブランチの各々のキャリブレーション係数を乗算する乗算部、
を有し、
前記キャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整して得られる係数である、通信システム。
【請求項７】
複数の基地局を備え、
前記複数の基地局の各々は、
他の基地局とＣｏＭＰ送信するための複数のブランチ、
前記複数のブランチの各々に対するキャリブレーション係数を記憶している記憶部、および、
前記複数のブランチの各々からの送信信号にキャリブレーション係数を乗算する乗算部、
を有し、
前記複数のブランチの各々のキャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整することにより更新される、通信システム。
【請求項８】
複数のブランチを有し、ＣｏＭＰ送信を行う複数の基地局の各々が、基地局内の前記複数のブランチ間のブランチキャリブレーションを行って前記複数のブランチの各々に対応する個別キャリブレーション係数を取得するステップと；
前記複数の基地局のブランチ間でブランチキャリブレーションを行うステップと；
前記複数のブランチの各々に対応する個別キャリブレーション係数を、前記複数の基地局のブランチ間のブランチキャリブレーション結果に基づいて調整してキャリブレーション係数を取得するステップと；
前記基地局の前記複数のブランチの各々からの送信信号に、前記複数のブランチの各々の前記キャリブレーション係数を乗算するステップと；
を含む、通信方法。
【発明の詳細な説明】
【技術分野】
【０００１】
本発明は、基地局、通信システムおよび通信方法に関する。
【背景技術】
【０００２】
近日、無線通信のさらなるパフォーマンスの向上を達成するために、第４世代のセルラーシステム（４Ｇ）が検討されている。この４Ｇにおいては、リレー技術、キャリアアグリゲーション、およびＣｏＭＰ（Ｃｏｏｒｄｉｎａｔｅｄ  Ｍｕｌｔｉｐｌｅ  Ｐｏｉｎｔ  ｔｒａｎｓｍｉｓｓｉｏｎ  ａｎｄ  ｒｅｃｅｐｔｉｏｎ）などの技術が注目されている。
【０００３】
リレー技術は、基地局（例えば、マクロセル基地局）と通信端末間の通信をリレーノードが中継する技術であり、基地局のセルエッジにおけるスループットを向上するために重要である。また、キャリアアグリゲーションは、２０ＭＨｚのバンド幅を有する複数の周波数帯をまとめて扱うことにより、利用バンド幅の広域化および最大スループットの向上を実現する技術である。また、ＣｏＭＰは、複数の基地局が連携して通信端末とデータ通信するための技術であり、高いデータレートで通信可能なカバレッジを拡張することが可能である。
【０００４】
より詳細には、ＣｏＭＰは、複数の基地局が同時に１の通信端末とデータ通信する技術である。この技術によれば、データ通信に複数の基地局のブランチを利用できるので、アンテナ利得およびＳＩＮＲを向上することができる。
【０００５】
ここで、基地局が、通信端末からのアップリンクのチャネル行列に基づいてブランチの重みを計算し、受信指向性を得たとする。この場合、ブランチの重みを送信時にも利用すれば、受信指向性と一致する送信指向性が得られるようにも思われるが、各ブランチの送信アナログ部の伝達関数および受信アナログ部の伝達関数が異なるので、実際の送信指向性は受信指向性と一致しない。
【０００６】
このような各ブランチの送信アナログ部の伝達関数および受信アナログ部の伝達関数の相違に起因する諸問題は、各基地局が個別にブランチキャリブレーションを行ってブランチごとのキャリブレーション係数を取得することにより解消される。なお、キャリブレーション係数は、１の基地局内の各ブランチの送信アナログ部の伝達関数と、受信アナログ部の伝達関数との比を一定にするための係数である。このようなブランチキャリブレーションについては、例えば特許文献１および特許文献２に記載されている。
【先行技術文献】
【特許文献】
【０００７】
【特許文献１】特開２００９−１８８５４６号公報
【特許文献２】特開２００７−１１６４８９号公報
【発明の概要】
【発明が解決しようとする課題】
【０００８】
しかし、上述の個別のブランチキャリブレーションでは、１の基地局内の各ブランチの送信アナログ部の伝達関数と受信アナログ部の伝達関数との比を一定にするためのキャリブレーション係数は得られるものの、複数の基地局内の全ブランチの送信アナログ部の伝達関数と受信アナログ部の伝達関数との比を一定にすることはできない。このため、各基地局が個別にブランチキャリブレーションを行うのみでは、ＣｏＭＰを行う複数の基地局内の全ブランチを、ブランチキャリブレーションが完了した１の装置内の複数のブランチと等価に扱うことができない。すなわち、複数の基地局のブランチを統合的に用いてＣｏＭＰを行う場合にアップリンクとダウンリンクの指向性を一致させることができない。
【０００９】
なお、各基地局が個別にブランチキャリブレーションを行えば、各基地局が個別に指向性を形成してＣｏＭＰを行うことはできるであろうが、通信の効率化を図れない場合が想定される。例えば、２のブランチを有する３つの基地局が個別にブランチキャリブレーションを行った場合、３組の２×Ｎ（Ｎは通信端末側のブランチ数）のＭＩＭＯ通信を実現できるものの、より高スループットな６×ＮのＭＩＭＯ通信を実現することができない。
【００１０】
そこで、本発明は、上記問題に鑑みてなされたものであり、本発明の目的とするところは、複数の基地局内のブランチで連携したブランチキャリブレーションを効率的に行うための、新規かつ改良された基地局、通信システムおよび通信方法を提供することにある。
【課題を解決するための手段】
【００１１】
上記課題を解決するために、本発明のある観点によれば、他の基地局とＣｏＭＰ送信するための複数のブランチと、前記複数のブランチの各々からの送信信号に前記複数のブランチの各々のキャリブレーション係数を乗算する乗算部と、を備える基地局であって、前記キャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整して得られる係数である、基地局が提供される。
【００１２】
前記複数のブランチの各々の前記キャリブレーション係数は、前記複数のブランチの各々の前記個別キャリブレーション係数を、前記基地局のブランチおよび前記他の基地局のブランチ間のブランチキャリブレーションにより取得される前記基地局の前記ブランチの連携キャリブレーション係数を前記基地局の前記ブランチの前記個別キャリブレーション係数で除して得られる調整用係数、に基づいて調整して得られる係数であってもよい。
【００１３】
前記複数のブランチの各々のキャリブレーション係数は、前記複数のブランチの各々の前記個別キャリブレーション係数と前記調整用係数との乗算値であってもよい。
【００１４】
また、上記課題を解決するために、本発明の別の観点によれば、他の基地局とＣｏＭＰ送信するための複数のブランチと、前記複数のブランチの各々に対するキャリブレーション係数を記憶している記憶部と、前記複数のブランチの各々からの送信信号にキャリブレーション係数を乗算する乗算部と、を備える基地局であって、前記複数のブランチの各々のキャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整することにより更新される、基地局が提供される。
【００１５】
前記複数のブランチの各々の前記キャリブレーション係数は、前記複数のブランチの各々の前記個別キャリブレーション係数を、前記基地局のブランチおよび前記他の基地局のブランチ間のブランチキャリブレーションにより得られる更新係数に基づいて調整することにより更新され、前記更新用係数は、前記基地局のブランチおよび前記他の基地局のブランチ間のブランチキャリブレーションにより取得される前記基地局の前記ブランチの連携キャリブレーション係数と、補正係数との乗算値を、前記基地局の前記ブランチの前記個別キャリブレーション係数で除して得られる係数であり、前記補正係数は、前記基地局のブランチおよび前記他の基地局のブランチ間のブランチキャリブレーションにより取得される前記他の基地局の前記ブランチの連携キャリブレーション係数を、前記他の基地局の前記ブランチの利用中の連携キャリブレーション係数とするための係数であってもよい。
【００１６】
また、上記課題を解決するために、本発明の別の観点によれば、複数の基地局を備え、前記複数の基地局の各々は、他の基地局とＣｏＭＰ送信するための複数のブランチ、前記複数のブランチの各々からの送信信号に前記複数のブランチの各々のキャリブレーション係数を乗算する乗算部、を有し、前記キャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整して得られる係数である、通信システムが提供される。
【００１７】
また、上記課題を解決するために、本発明の別の観点によれば、複数の基地局を備え、前記複数の基地局の各々は、他の基地局とＣｏＭＰ送信するための複数のブランチ、前記複数のブランチの各々に対するキャリブレーション係数を記憶している記憶部、および、前記複数のブランチの各々からの送信信号にキャリブレーション係数を乗算する乗算部、を有し、前記複数のブランチの各々のキャリブレーション係数は、前記基地局内の前記複数のブランチ間のブランチキャリブレーションにより取得される個別キャリブレーション係数を、前記基地局のブランチおよび前記他の基地局のブランチ間のブランチキャリブレーション結果に基づいて調整することにより更新される、通信システムが提供される。
【００１８】
また、上記課題を解決するために、本発明の別の観点によれば、複数のブランチを有し、ＣｏＭＰ送信を行う複数の基地局の各々が、基地局内の前記複数のブランチ間のブランチキャリブレーションを行って前記複数のブランチの各々に対応する個別キャリブレーション係数を取得するステップと、前記複数の基地局のブランチ間でブランチキャリブレーションを行うステップと、前記複数のブランチの各々に対応する個別キャリブレーション係数を、前記複数の基地局のブランチ間のブランチキャリブレーション結果に基づいて調整してキャリブレーション係数を取得するステップと、前記基地局の前記複数のブランチの各々からの送信信号に、前記複数のブランチの各々の前記キャリブレーション係数を乗算するステップと、を含む通信方法が提供される。
【発明の効果】
【００１９】
以上説明したように本発明によれば、複数の基地局内のブランチで連携したブランチキャリブレーションを効率的に行うことができる。
【図面の簡単な説明】
【００２０】
【図１】本発明の実施形態による通信システム１の構成を示した説明図である。
【図２】基地局１０のブランチ構成を示した説明図である。
【図３】個別ブランチキャリブレーションの過程を示した説明図である。
【図４】個別ブランチキャリブレーションの過程を示した説明図である。
【図５】基地局１０の構成を示した説明図である。
【図６】基地局１０の動作を示したフローチャートである。
【図７】ＣｏＭＰ用のキャリブレーションを初期取得する過程を示した説明図である。
【図８】ＣｏＭＰ用のキャリブレーションを初期取得する過程を示した説明図である。
【図９】ＣｏＭＰ用のキャリブレーションを初期取得する過程を示した説明図である。
【図１０】ＣｏＭＰ用のキャリブレーションを初期取得する過程を示した説明図である。
【図１１】基地局１０の動作を示したフローチャートである。
【図１２】ＣｏＭＰ用のキャリブレーションを更新する過程を示した説明図である。
【図１３】ＣｏＭＰ用のキャリブレーションを更新する過程を示した説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて基地局１０Ａ、１０Ｂおよび１０Ｃのように区別する。ただし、実質的に同一の機能構成を有する複数の構成要素の各々を特に区別する必要がない場合、同一符号のみを付する。例えば、基地局１０Ａ、１０Ｂおよび１０Ｃを特に区別する必要が無い場合には、単に基地局１０と称する。
【００２３】
また、以下に示す項目順序に従って当該「発明を実施するための形態」を説明する。
１．通信システムの全体構成
２．基地局の構成
３．キャリブレーション係数の初期取得
４．キャリブレーション係数の更新
５．まとめ
【００２４】
＜１．通信システムの全体構成＞
まず、図１を参照し、本発明の実施形態による通信システム１の全体構成を説明する。
【００２５】
図１は、本発明の実施形態による通信システム１の構成を示した説明図である。図１に示したように、本発明の実施形態による通信システム１は、複数の基地局１０および通信端末２０を備える。
【００２６】
通信端末２０（ＵＥ：Ｕｓｅｒ  Ｅｑｕｉｐｍｅｎｔ）は、基地局１０による管理に従い、基地局１０と通信を行う。例えば、通信端末２０は、基地局１０により割り当てられたダウンリンク用のリソースブロックにおいて受信処理を行い、アップリンク用のリソースブロックにおいて送信処理を行う。
【００２７】
この通信端末２０は、例えば、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、通信端末２０は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの移動通信装置であってもよい。
【００２８】
基地局１０は、カバレッジに含まれる通信端末２０と通信する。例えば、基地局１０Ａは、基地局１０Ａのカバレッジに含まれる通信端末２０Ａと通信することができる。なお、本明細書においては、この基地局１０がマクロセル基地局（ｅＮｏｄｅＢ）である場合を想定して説明を進めるが、基地局１０はマクロセル基地局に限定されない。例えば、基地局１０は、マクロセル基地局より最大送信電力が小さいピコセル／ミクロセル基地局であってもよいし、リレーノードであってもよいし、フェムトセル基地局であってもよい。
【００２９】
また、各基地局１０は、有線により接続されており、他の基地局１０と有線通信により情報交換を行うことができる。基地局１０は、この情報交換に基づき、次世代技術として期待されているＣｏＭＰを実現することができる。このＣｏＭＰは、Ｊｏｉｎｔ  Ｐｒｏｃｅｓｓｉｎｇと、Ｃｏｏｒｄｉｎａｔｅｄ  Ｓｃｈｅｄｕｌｉｎｇ  ａｎｄ／ｏｒ  Ｂｅａｍｆｏｒｍｉｎｇに大別される。
【００３０】
前者のＪｏｉｎｔ  Ｐｒｏｃｅｓｓｉｎｇは、複数の基地局１０が同時に１の通信端末２０とデータ通信する技術である。図１に示した基地局１０Ａ、基地局１０Ｂ、および基地局１０Ｃが同時に通信端末２０Ａにデータ送信する例がＪｏｉｎｔ  Ｐｒｏｃｅｓｓｉｎｇに該当する。このＪｏｉｎｔ  Ｐｒｏｃｅｓｓｉｎｇによれば、データ通信に複数の基地局１０のブランチ（アンテナおよびアナログ回路）を利用できるので、アンテナ利得およびＳＩＮＲを向上することができる。
【００３１】
なお、ダウンリンクのＪｏｉｎｔ  Ｐｒｏｃｅｓｓｉｎｇを行う場合、通信端末２０への送信データを、基地局１０間の例えばバックホールと呼ばれる有線の通信路を利用して、複数の基地局１０へ事前に分配しておく必要がある。また、アップリンクのＪｏｉｎｔ  Ｐｒｏｃｅｓｓｉｎｇは、通信端末２０から複数の基地局１０により受信されたデータを統合することにより行われる。
【００３２】
データ統合の方法としては、例えば、各基地局１０による復号後のビットレベルでデータを統合する方法、各基地局１０によるデコード前のソフトビットの段階でデータを統合する方法、各基地局１０によるデマッピング前のデータを統合する方法などが挙げられる。各基地局１０でより後段の復調処理をしてからデータを統合するほど、バックホールを介して交換されるデータ量は増加するが、性能は向上する傾向がある。
【００３３】
後者のＣｏｏｒｄｉｎａｔｅｄ  Ｓｃｈｅｄｕｌｉｎｇ  ａｎｄ／ｏｒ  Ｂｅａｍｆｏｒｍｉｎｇは、データ送信は１の基地局１０のみが行い、スケジューリング（各通信端末２０に割り当てるリソースブロックを決定する制御）を複数の基地局１０で協調して行う技術である。このＣｏｏｒｄｉｎａｔｅｄ  Ｓｃｈｅｄｕｌｉｎｇ  ａｎｄ／ｏｒ  Ｂｅａｍｆｏｒｍｉｎｇによれば、複数の基地局１０間の干渉をスケジューリング調整により容易に回避することができる。
【００３４】
本発明は、上記の２種類のＣｏＭＰのうち、特に前者のＪｏｉｎｔ  Ｐｒｏｃｅｓｓｉｎｇに焦点を当ててなされたものである。このＪｏｉｎｔ  Ｐｒｏｃｅｓｓｉｎｇは、Ｎｏｎ−ｃｏｆｅｒｅｎｔｌｙなＪｏｉｎｔ  Ｐｒｏｃｅｓｓｉｎｇと、ｃｏｆｅｒｅｎｔｌｙなＪｏｉｎｔ  Ｐｒｏｃｅｓｓｉｎｇとに大別される。
【００３５】
ｃｏｆｅｒｅｎｔｌｙなＪｏｉｎｔ  Ｐｒｏｃｅｓｓｉｎｇは、各基地局１０から通信端末２０に到達するデータの位相が揃うように、各基地局１０からのデータの送信タイミングを調整する方法である。一方、Ｎｏｎ−ｃｏｆｅｒｅｎｔｌｙなＪｏｉｎｔ  Ｐｒｏｃｅｓｓｉｎｇは、各基地局１０からのデータの送信タイミングを調整しないで各基地局１０がデータを送信する方法である。したがって、ｃｏｆｅｒｅｎｔｌｙなＪｏｉｎｔ  Ｐｒｏｃｅｓｓｉｎｇの方がＮｏｎ−ｃｏｆｅｒｅｎｔｌｙなＪｏｉｎｔ  Ｐｒｏｃｅｓｓｉｎｇにより性能が高い。しかし、ｃｏｆｅｒｅｎｔｌｙなＪｏｉｎｔ  Ｐｒｏｃｅｓｓｉｎｇを行うためには、通信端末２０ごとに各基地局１０の送信タイミングの調整量を算出する必要があるので、処理が煩雑になる点で不利である。
【００３６】
この点に関し、ＣｏＭＰ（Ｊｏｉｎｔ  Ｐｒｏｃｅｓｓｉｎｇを示す。以下同様。）送信を行う複数の基地局１０内の全ブランチを、ブランチキャリブレーションが完了した１の装置内の複数のブランチと等価に扱えるようにすることが望まれる。このような扱いができれば、複数の基地局１０のブランチを統合的に利用してＣｏＭＰを行う場合にアップリンクとダウンリンクの指向性を一致させることができるので、通信端末２０ごとに各基地局１０の送信タイミングを調整する必要がなくなるからである。
【００３７】
しかし、各基地局１０が個別にブランチキャリブレーションを行っても、複数の基地局１０内の全ブランチを、ブランチキャリブレーションが完了した１の装置内の複数のブランチと等価に扱えるようにはならない。したがって、各基地局１０が個別にブランチキャリブレーションを行っても、複数の基地局１０のブランチを統合的に利用してＣｏＭＰを行う場合にアップリンクとダウンリンクの指向性を一致させることができない。以下、その理由を、個別キャリブレーションの詳細、および基地局１０のブランチ構成と併せて説明する。
【００３８】
（個別ブランチキャリブレーション）
図２は、基地局１０のブランチ構成を示した説明図である。図２に示したように、基地局１０のアナログ部１１０は、ブランチｂ０、ブランチｂ１、およびブランチｂ２からなる。各ブランチは、アンテナＡ、スイッチＳ、送信アナログ部Ｔｘ（ＤＡ変換部を含んでもよい。）、および受信アナログ部Ｒｘ（ＡＤ変換部を含んでもよい。）を備える。なお、図２においては、基地局１０が３つのブランチを有する例を示しているが、基地局１０が有するブランチの数は３つに限定されない。例えば、基地局１０が有するブランチの数は２つであってもよいし、４つ以上であってもよい。
【００３９】
各ブランチを構成するアンテナＡは、送信時には、スイッチＳにより送信アナログ部Ｔｘと接続される。そして、送信アナログ部Ｔｘは、デジタル部１５０から供給される送信信号にアナログ処理を施し、アナログ処理後の高周波信号をアンテナＡに供給する。アンテナＡは、送信アナログ部Ｔｘから供給される高周波信号を無線信号に変換して送信する。
【００４０】
一方、受信時には、アンテナＡと受信アナログ部ＲｘがスイッチＳにより接続される。そして、アンテナＡは、受信した無線信号を高周波信号に変換して受信アナログ部Ｒｘに供給する。受信アナログ部Ｒｘは、アンテナＡから供給される高周波信号にアナログ処理を施し、アナログ処理後の受信信号をデジタル部１５０に供給する。
【００４１】
このようなアンテナＡ、送信アナログ部Ｔｘ、および受信アナログ部Ｒｘは、ブランチごとに伝達関数（特性）が異なる。さらに、同一のブランチ内であっても、送信アナログ部Ｔｘと受信アナログ部Ｒｘの伝達関数は相違する。この基地局１０内の各ブランチの送信アナログ部Ｔｘの伝達関数および受信アナログ部Ｒｘの伝達関数の相違に起因する諸問題は、基地局１０が個別にブランチキャリブレーションを行うことにより解消される。以下、基地局１０が個別に行うブランチキャリブレーションについて具体的に説明する。
【００４２】
ブランチ番号をｉとし、ｉ番目のブランチの送信アナログ部Ｔｘの伝達関数をＴｘ（ｉ）とし、ｉ番目のブランチの受信アナログ部Ｒｘの伝達関数をＲｘ（ｉ）とする。この場合、ブランチキャリブレーションとは、下記の数式（１）を満たす各ブランチに対するキャリブレーション係数Ｋ（ｉ）を取得する処理に該当する。また、広義には、キャリブレーション係数Ｋ（ｉ）を送信信号または受信信号に複素乗算する処理を含む。
【００４３】
Tx(0)*K(0)/Rx(0)=Tx(1)*K(1)/Rx(1)=Tx(2)*K(2)/Rx(2)      （数式１）
【００４４】
このようなキャリブレーション係数Ｋ（ｉ）を取得するために、まず、ブランチｂ０が図３に示したように無線信号を送信し、ブランチｂ１およびブランチｂ２がブランチｂ０から送信された無線信号を受信する。次に、図４に示したように、ブランチｂ１およびブランチｂ２が無線信号を送信し、ブランチｂ０がブランチｂ１およびブランチｂ２の各々から送信された無線信号を受信する。
【００４５】
その結果、以下のループバック伝達関数Ｄ（ｉ，ｊ）が測定される。なお、ループバック伝達関数Ｄ（ｉ，ｊ）は、送信ブランチｉおよび受信ブランチｊを経由する無線信号から測定される係数である。また、複数のブランチに対して無線信号を送信し、複数のブランチから無線信号を受信するブランチを基準ブランチと称する。
【００４６】
D(0,1)=Tx(0)*Rx(1)
D(0,2)=Tx(0)*Rx(2)
D(1,0)=Tx(1)*Rx(0)
D(2,0)=Tx(2)*Rx(0)
【００４７】
基地局１０は、これらのループバック伝達関数Ｄ（ｉ，ｊ）から、以下の数式２に従ってキャリブレーション係数Ｋ（ｉ）を取得することができる。
【００４８】
K(0)=1.0
K(1)=D(0,1)/D(1,0)={Rx(1)/Tx(1)}*{Tx(0)/Rx(0)}
K(2)=D(0,2)/D(2,0)={Rx(2)/Tx(2)}*{Tx(0)/Rx(0)}            （数式２）
【００４９】
数式２を検算すると、以下の数式３に示すように、キャリブレーション条件である数式１を満たすことが確認される。
【００５０】
Tx(0)*K(0)/Rx(0)=Tx(0)/Rx(0)
Tx(1)*K(1)/Rx(1)=Tx(0)/Rx(0)                          （数式３）
Tx(2)*K(2)/Rx(2)=Tx(0)/Rx(0)
【００５１】
なお、数式２に示したように、０番目のブランチｂ０のキャリブレーション係数Ｋ（０）が１．０となっているのは、ブランチｂ０を基準ブランチとしてブランチキャリブレーションを行ったためである。したがって、ブランチｂ１を基準ブランチとしてブランチキャリブレーションを行った場合には、１番目のブランチｂ１のキャリブレーション係数Ｋ（１）が１．０となる。
【００５２】
（個別ブランチキャリブレーションの問題）
上述のように、個別ブランチキャリブレーションによれば、各基地局１０内の全ブランチの送信アナログ部Ｔｘの伝達関数および受信アナログ部Ｒｘの伝達関数の比率を一定にすることができる。しかし、上述の個別ブランチキャリブレーションを各基地局１０が行っても、各基地局１０による個別ブランチキャリブレーションの基準アンテナが異なるので、異なる基地局１０内のブランチの送信アナログ部Ｔｘの伝達関数および受信アナログ部Ｒｘの伝達関数の比率を一定にすることはできない。すなわち、ＣｏＭＰ送信を行う複数の基地局１０内の全ブランチを、ブランチキャリブレーションが完了した１の装置内の複数のブランチと等価に扱うことはできない。
【００５３】
一方、複数の基地局１０が基準ブランチとして同一のブランチを用いて一斉にブランチキャリブレーションを行えば、複数の基地局１０内の全ブランチの送信アナログ部Ｔｘの伝達関数および受信アナログ部Ｒｘの伝達関数の比率を一定にすることができる。すなわち、ＣｏＭＰ送信を行う複数の基地局１０内の全ブランチを、ブランチキャリブレーションが完了した１の装置内の複数のブランチと等価に扱うことができるようになると考えられる。
【００５４】
しかし、複数の基地局１０が基準ブランチとして同一のブランチを用いて一斉にブランチキャリブレーションを行う上記の方法では、例えばキャリブレーション対象の全ブランチから順次に無線信号を送信する必要があるので、相応の時間が消費されてしまう。その結果、このブランチキャリブレーションが通信端末２０による通信に悪影響を与えてしまうことも懸念される。
【００５５】
そこで、上記の事情を一着眼点にして本発明の実施形態を創作するに至った。本発明の実施形態による基地局１０は、共にＣｏＭＰ送信を行う他の基地局と、連携したブランチキャリブレーションを効率的に行うことができる。以下、このような本発明の実施形態による基地局１０について詳細に説明する。
【００５６】
＜２．基地局の構成＞
図５は、本発明の実施形態による基地局１０の構成を示した機能ブロック図である。図５に示したように、本発明の実施形態による基地局１０は、アナログ部１１０と、バックホール通信部１２０と、デジタル部１５０と、上位レイヤ部１８０と、記憶部１９０と、を備える。
【００５７】
バックホール通信部１２０は、他の基地局と有線の通信路を介して情報交換するためのインタフェースである。例えば、基地局１０は、後述の連携したブランチキャリブレーションやキャリブレーション係数の更新の過程で得られるループバック伝達関数を、バックホール通信部１２０を介して他の基地局と送受信する。
【００５８】
デジタル部１５０は、図５に示したように、ＡＤ／ＤＡ変換部１５２と、復調処理部１６０と、変調処理部１７０と、を含む。このデジタル部１５０の各構成は、ブランチごとに設けられていてもよい。
【００５９】
ＡＤ／ＤＡ変換部１５２は、アナログ部１１０から供給されるアナログ形式の受信信号をデジタル形式に変換し、変調処理部１７０から供給されるデジタル形式の送信信号をアナログ形式に変換する。
【００６０】
復調処理部１６０は、ＡＤ／ＤＡ変換部１５２から供給される受信信号を復調するための各種処理を行う。例えば、復調処理部１６０は、受信信号のフーリエ変換、デマッピング、誤り訂正などを行う。また、復調処理部１６０は、同期部１６２および伝達関数取得部１６４を含む。
【００６１】
同期部１６２は、受信信号に含まれる同期信号に基づいて受信信号との同期を獲得する。また、伝達関数取得部１６４は、連携したブランチキャリブレーションやキャリブレーション係数の更新の過程で受信される無線信号に基づいて、信号の伝送経路に対応するループバック伝達関数を取得する。
【００６２】
また、変調処理部１７０は、上位レイヤ１８０から供給される送信信号を変調するための各種処理を行う。例えば、変調処理部１７０は、送信信号のマッピング、ＩＦＦＴ１７４における逆フーリエ変換、およびガードインターバルの付加などを行う。また、変調処理部１７０のキャリブレーション係数乗算部１７２（乗算部）は、記憶部１９０から読み出される各ブランチのキャリブレーション係数を、各ブランチからの送信信号に周波数領域で複素乗算する。
【００６３】
上位レイヤ部１８０は、個別キャリブレーション係数取得部１８２、キャリブレーション係数調整部１８４、およびキャリブレーション係数更新部１８６を含む。
【００６４】
個別キャリブレーション係数取得部１８２は、「個別ブランチキャリブレーション」において説明した演算により、基地局１０内の各ブランチに対するキャリブレーション係数Ｋを取得する。なお、以下では、個別ブランチキャリブレーションにより取得される基地局１０内の各ブランチに対するキャリブレーション係数Ｋを、個別キャリブレーション係数と称する。
【００６５】
キャリブレーション係数調整部１８４は、個別キャリブレーション係数取得部１８２により取得された個別キャリブレーション係数を調整することにより、基地局１０が他の基地局とＣｏＭＰを行う場合に利用するキャリブレーション係数を初期取得する。詳細については「３．キャリブレーション係数の初期取得」において説明するが、キャリブレーション係数調整部１８４は、基地局１０のいずれかのブランチおよび他の基地局のブランチ間のブランチキャリブレーション結果に基づいて個別キャリブレーション係数を調整する。当該調整により得られたキャリブレーション係数は、記憶部１９０に記録される。
【００６６】
キャリブレーション係数更新部１８６は、キャリブレーション係数調整部１８４により取得されたＣｏＭＰ用のキャリブレーション係数を更新する。これは、温度変化などにより、キャリブレーション係数の精度は半日程度で失われてしまうと考えられるからである。しかし、ＣｏＭＰを行う全ての基地局１０が同時にキャリブレーション係数を更新することは困難である。また、一部の基地局１０のキャリブレーション係数を更新すると、他の基地局のキャリブレーション係数と不整合が生じてしまうことが懸念される。
【００６７】
例えば、一部の基地局１０が初期取得時と同一のブランチを基準ブランチとしてキャリブレーション係数を更新しても、基準ブランチの伝達関数が変化してしまっている場合がある。この場合、一部の基地局１０の更新後のキャリブレーション係数と、他の基地局の既存のキャリブレーション係数の間で不整合が生じることとなる。
【００６８】
この点に関し、キャリブレーション係数更新部１８６は、基地局１０のいずれかのブランチおよび他の基地局のブランチ間のブランチキャリブレーション結果に基づく調整により、キャリブレーション係数を更新することができる。このキャリブレーション係数の更新については、「４．キャリブレーション係数の更新」において詳細に説明する。
【００６９】
＜３．キャリブレーション係数の初期取得＞
以上、本発明の実施形態による基地局１０の構成を説明した。続いて、基地局１０が他の基地局とＣｏＭＰを行う場合に利用するキャリブレーション係数の初期取得方法について詳細に説明する。
【００７０】
まず、キャリブレーション係数の初期取得に関する用語を以下のように整理する。
・個別キャリブレーション係数（ｉ，ｊ）
基地局１０ｉで閉じたブランチキャリブレーションを行うことにより取得される、基地局１０ｉのｊ番目のブランチのキャリブレーション係数。
【００７１】
・個別キャリブレーションの基準ブランチ
基地局１０ｉで閉じたブランチキャリブレーションを行う際に設定した基準ブランチ。
【００７２】
・フォワードループバック伝達関数Ｄ（ｉ，基準）（ｉ，ｊ）
基地局１０ｉの基準ブランチから、基地局１０ｉのｊ番目のブランチへのループバック伝達関数。
【００７３】
・バックワードループバック伝達関数Ｄ（ｉ，ｊ）（ｉ，基準）
基地局１０ｉのｊ番目のブランチから、基地局１０ｉの基準ブランチへのループバック伝達関数。
【００７４】
・連携キャリブレーションの各基地局の利用ブランチ
複数の基地局が連携したブランチキャリブレーションを行うために基地局ごとに選択されたブランチ。このブランチは、個別キャリブレーションの基準ブランチと異なってもよい。
【００７５】
・連携キャリブレーションの基準ブランチ
複数の基地局が連携したブランチキャリブレーションを行うために設定した基準ブランチ。このブランチは、通信端末２０またはリレーノードなどに設けられた１のブランチであってもよい。
【００７６】
・フォワードループバック伝達関数Ｄ（基準）（ｉ，利用）
連携キャリブレーションの基準ブランチから、基地局１０ｉの利用ブランチへのループバック伝達関数
【００７７】
・バックワードループバック伝達関数Ｄ（ｉ，利用）（基準）
基地局１０ｉの利用ブランチから、連携キャリブレーションの基準ブランチへのループバック伝達関数。
【００７８】
・連携キャリブレーション係数（ｉ，利用）
連携キャリブレーションにより取得される基地局１０ｉの利用ブランチのキャリブレーション係数。
【００７９】
・調整用係数（ｉ）
基地局１０ｉの個別キャリブレーション係数（ｉ，ｊ）を調整して最終的なキャリブレーション係数を取得するための係数である。調整用係数（ｉ）は、以下の数式４に従って算出される。なお、数式４におけるｊ番目のブランチは、連携キャリブレーションの利用ブランチと同一である。
調整用係数（ｉ）
＝連携キャリブレーション係数（ｉ，利用）
／個別キャリブレーション係数（ｉ，ｊ）
（数式４）
【００８０】
・キャリブレーション係数（ｉ，ｊ）
基地局１０ｉが他の基地局とＣｏＭＰを行う場合に利用する、基地局１０ｉのｊ番目のキャリブレーション係数である。キャリブレーション係数（ｉ，ｊ）は、以下の数式５に従って算出される。
キャリブレーション係数（ｉ，ｊ）
＝個別キャリブレーション係数（ｉ，ｊ）*調整用係数（ｉ）
（数式５）
【００８１】
〔概要〕
続いて、図６を参照し、キャリブレーション係数の取得方法の概要を説明する。図６は、キャリブレーション係数の取得方法を示したフローチャートである。まず、ＣｏＭＰを行う複数の基地局１０の各々は、例えば「個別ブランチキャリブレーション」において説明した方法により、個別キャリブレーション係数を取得する（ステップ１）。
【００８２】
その後、複数の基地局１０は、連携してキャリブレーションを行い、連携キャリブレーション係数を取得する（ステップ２）。この連携キャリブレーションは、各基地局１０から１つずつ選択される利用ブランチと、基準ブランチとの間で行われるブランチキャリブレーションである。なお、各基地局１０は、連携キャリブレーション係数を取得するために必要なループバック伝達関数をバックボーン通信部１２０を介して交換する。また、各基地局１０から選択される利用ブランチは１つでなく、２つ以上であってもよい。
【００８３】
続いて、各基地局１０は、上記の数式４に従い、個別キャリブレーション係数と連携キャリブレーション係数とから調整用係数を算出する（ステップ３）。さらに、各基地局１０は、数式５に示したように、各ブランチの個別キャリブレーション係数と、ステップ３において算出した調整用係数とを複素乗算することにより、最終的なキャリブレーション係数を取得する（ステップ４）。以下、各ステップを、具体例を用いて詳細に説明する。  
【００８４】
〔ステップ１：個別キャリブレーション係数の取得〕
図７および図８は、個別キャリブレーションの過程を示した説明図である。図７に示したように、ＣｏＭＰを行う基地局１０Ａ〜１０Ｃの各々は、まず、基準ブランチとして選択したブランチｂ０から無線信号を送信し、ブランチｂ１およびｂ２でその無線信号を受信する。これにより、基地局１０Ａ〜１０Ｃの各々は、フォワードループバック伝達関数Ｄ（ｉ，基準）（ｉ，ｊ）を取得できる。なお、基準ブランチとしてブランチｂ０を選択した本例においては、（ｉ，基準）における「基準」は「０」に該当し、（ｉ，ｊ）における「ｊ」は「１」または「２」に該当する。
【００８５】
続いて、基地局１０Ａ〜１０Ｃの各々は、図８に示したように、ブランチｂ１およびｂ２から無線信号を送信し、ブランチｂ０でその無線信号を受信する。これにより、基地局１０Ａ〜１０Ｃの各々は、バックワードループバック伝達関数Ｄ（ｉ，ｊ）（ｉ，基準）を取得できる。
【００８６】
そして、基地局１０Ａ〜１０Ｃの各々は、以下の数式６に従い、個別キャリブレーション係数（ｉ，ｊ）を取得する。
個別キャリブレーション係数（ｉ，ｊ）
＝Ｄ（ｉ，基準）（ｉ，ｊ）／Ｄ（ｉ，ｊ）（ｉ，基準）
（数式６）
【００８７】
ここで、図７および図８に示したように、フォワードループバック伝達関数Ｄ（ｉ，基準）（ｉ，ｊ）、およびバックワードループバック伝達関数Ｄ（ｉ，ｊ）（ｉ，基準）として以下の値が得られたとする。なお、以下には説明の簡略化のために各ループバック伝達関数Ｄが実数である例を示しているが、ループバック伝達関数Ｄは複素数であってもよい。
Ｄ（Ａ，基準）（Ａ，１）＝２．０
Ｄ（Ａ，基準）（Ａ，２）＝３．０
Ｄ（Ａ，１）（Ａ，基準）＝４．０
Ｄ（Ａ，２）（Ａ，基準）＝１．５
Ｄ（Ｂ，基準）（Ｂ，１）＝２．０
Ｄ（Ｂ，基準）（Ｂ，２）＝１．０
Ｄ（Ｂ，１）（Ｂ，基準）＝１．０
Ｄ（Ｂ，２）（Ｂ，基準）＝２．０
Ｄ（Ｃ，基準）（Ｃ，１）＝３．０
Ｄ（Ｃ，基準）（Ｃ，２）＝４．０
Ｄ（Ｃ，１）（Ｃ，基準）＝１．５
Ｄ（Ｃ，２）（Ｃ，基準）＝２．０
【００８８】
この場合、個別キャリブレーション係数（ｉ，ｊ）は、数式６に基づいて以下のように算出される。
個別キャリブレーション係数
（Ａ，０）＝１．０
（Ａ，１）＝Ｄ（Ａ，基準）（Ａ，１）／Ｄ（Ａ，１）（Ａ，基準）
＝２．０／４．０＝０．５
（Ａ，２）＝Ｄ（Ａ，基準）（Ａ，２）／Ｄ（Ａ，２）（Ａ，基準）
＝３．０／１．５＝２．０
（Ｂ，０）＝１．０
（Ｂ，１）＝Ｄ（Ｂ，基準）（Ｂ，１）／Ｄ（Ｂ，１）（Ｂ，基準）
＝２．０／１．０＝２．０
（Ｂ，２）＝Ｄ（Ｂ，基準）（Ｂ，２）／Ｄ（Ｂ，２）（Ｂ，基準）
＝１．０／２．０＝０．５
（Ｃ，０）＝１．０
（Ｃ，１）＝Ｄ（Ｃ，基準）（Ｃ，１）／Ｄ（Ｃ，１）（Ｃ，基準）
＝３．０／１．５＝２．０
（Ｃ，２）＝Ｄ（Ｃ，基準）（Ｃ，２）／Ｄ（Ｃ，２）（Ｃ，基準）
＝４．０／２．０＝２．０
【００８９】
〔ステップ２：連携キャリブレーション係数の取得〕
図９および図１０は、連携キャリブレーションの過程を示した説明図である。図９に示したように、ＣｏＭＰを行う基地局１０Ａ〜１０Ｃの各々から選択された利用アンテナｂ０は、まず、基準ブランチとして選択された通信端末２０Ａのブランチから送信される無線信号を受信する。これにより、基地局１０Ａ〜１０Ｃは、フォワードループバック伝達関数Ｄ（基準）（ｉ，利用）を取得できる。
【００９０】
続いて、基地局１０Ａ〜１０Ｃの各々は、図１０に示したように、利用アンテナｂ０から通信端末２０Ａの基準ブランチに無線信号を送信する。これにより、通信端末２０Ａは、バックワードループバック伝達関数Ｄ（ｉ，利用）（基準）を取得できる。
【００９１】
そして、基地局１０Ａ〜１０Ｃの各々は、以下の数式７に従い、連携キャリブレーション係数（ｉ，ｊ）を取得する。
連携キャリブレーション係数（ｉ，利用）
＝Ｄ（基準）（ｉ，利用）／Ｄ（ｉ，利用）（基準）
（数式７）
【００９２】
なお、各ループバック伝達関数は、基地局１０Ａ〜１０Ｃおよび通信端末２０Ａにより分散的に取得されることとなる。したがって、基地局１０Ａ〜１０Ｃの各々は、連携キャリブレーション係数を取得するために必要なループバック伝達関数を、バックホールや無線通信を利用して交換してもよい。
【００９３】
ここで、図９および図１０に示したように、フォワードループバック伝達関数Ｄ（基準）（ｉ，利用）、およびバックワードループバック伝達関数Ｄ（ｉ，利用）（基準）として以下の値が得られたとする。
Ｄ（基準）（Ａ，０）＝１．０
Ｄ（Ａ，０）（基準）＝０．５
Ｄ（基準）（Ｂ，０）＝３．０
Ｄ（Ｂ，０）（基準）＝１．０
Ｄ（基準）（Ｃ，０）＝２．０
Ｄ（Ｃ，０）（基準）＝２．０
【００９４】
この場合、連携キャリブレーション係数（ｉ，利用）は、数式７に基づいて以下のように算出される。
連携キャリブレーション係数
（Ａ，０）＝Ｄ（基準）（Ａ，０）／Ｄ（Ａ，０）（基準）
＝１．０／０．５＝２．０
（Ｂ，０）＝Ｄ（基準）（Ｂ，０）／Ｄ（Ｂ，０）（基準）
＝３．０／１．０＝３．０
（Ｃ，０）＝Ｄ（基準）（Ｃ，０）／Ｄ（Ｃ，０）（基準）
＝２．０／２．０＝１．０
【００９５】
〔ステップ３：調整用係数の算出〕
各基地局１０は、上記の数式４に従って調整用係数（ｉ）を算出する。具体的には、上記の個別キャリブレーション係数（ｉ，ｊ）および連携キャリブレーション係数（ｉ，利用）が得られた場合、各基地局１０は調整用係数（ｉ）を以下のように算出する。
調整用係数（Ａ）＝連携キャリブレーション係数（Ａ，０）
／個別キャリブレーション係数（Ａ，０）
＝２．０／１．０＝２．０
調整用係数（Ｂ）＝連携キャリブレーション係数（Ｂ，０）
／個別キャリブレーション係数（Ｂ，０）
＝３．０／１．０＝３．０
調整用係数（Ｃ）＝連携キャリブレーション係数（Ｃ，０）
／個別キャリブレーション係数（Ｃ，０）
＝１．０／１．０＝１．０
【００９６】
〔ステップ４：最終的なキャリブレーション係数の取得〕
各基地局１０は、上記の数式５に従って各ブランチの最終的なキャリブレーション係数（ｉ，ｊ）を算出する。具体的には、上記の個別キャリブレーション係数（ｉ，ｊ）および調整用係数（ｉ）が得られた場合、各基地局１０は各ブランチの最終的なキャリブレーション係数（ｉ，ｊ）を以下のように算出する。
最終的なキャリブレーション係数
（Ａ，０）＝個別キャリブレーション係数（Ａ，０）*調整用係数（Ａ）
＝１．０*２．０＝２．０
（Ａ，１）＝個別キャリブレーション係数（Ａ，１）*調整用係数（Ａ）
＝０．５*２．０＝１．０
（Ａ，２）＝個別キャリブレーション係数（Ａ，２）*調整用係数（Ａ）
＝２．０*２．０＝４．０
（Ｂ，０）＝個別キャリブレーション係数（Ｂ，０）*調整用係数（Ｂ）
＝１．０*３．０＝３．０
（Ｂ，１）＝個別キャリブレーション係数（Ｂ，１）*調整用係数（Ｂ）
＝２．０*３．０＝６．０
（Ｂ，２）＝個別キャリブレーション係数（Ｂ，２）*調整用係数（Ｂ）
＝０．５*３．０＝１．５
（Ｃ，０）＝個別キャリブレーション係数（Ｃ，０）*調整用係数（Ｃ）
＝１．０*１．０＝１．０
（Ｃ，１）＝個別キャリブレーション係数（Ｃ，１）*調整用係数（Ｃ）
＝２．０*１．０＝２．０
（Ｃ，２）＝個別キャリブレーション係数（Ｃ，２）*調整用係数（Ｃ）
＝２．０*１．０＝２．０
【００９７】
＜４．キャリブレーション係数の更新＞
以上、複数の基地局１０がブランチキャリブレーションを連携して行うことにより、複数の基地局１０の全ブランチで整合のとれたキャリブレーション係数を取得できることを説明した。続いて、一部のキャリブレーション係数の更新方法について詳細に説明する。
【００９８】
まず、キャリブレーション係数の更新に関する用語を以下のように整理する。
・ターゲット基地局
キャリブレーション係数が更新される基地局。
【００９９】
・協力基地局
ターゲット基地局のキャリブレーション係数の更新のために協力する基地局。
【０１００】
・個別キャリブレーション係数（ｉ，ｊ）
基地局１０ｉで閉じたブランチキャリブレーションを行うことにより取得される、基地局１０ｉのｊ番目のブランチのキャリブレーション係数。
【０１０１】
・フォワードループバック伝達関数Ｄ（基準）（ｉ，利用）
連携キャリブレーションの基準ブランチから、基地局１０ｉの利用ブランチへのループバック伝達関数
【０１０２】
・バックワードループバック伝達関数Ｄ（ｉ，利用）（基準）
基地局１０ｉの利用ブランチから、連携キャリブレーションの基準ブランチへのループバック伝達関数。
【０１０３】
・連携キャリブレーション係数（ｉ，利用）
連携キャリブレーションにより取得される基地局１０ｉの利用ブランチのキャリブレーション係数。
【０１０４】
・補正係数
協力基地局の利用ブランチの連携キャリブレーション係数（ｉ，利用）を、協力基地局の利用ブランチの現在のキャリブレーション係数と一致させるための係数。
【０１０５】
・補正後連携キャリブレーション係数（ｉ，利用）
補正係数により補正された連携キャリブレーション係数（ｉ，利用）。具体的には、補正係数と連携キャリブレーション係数（ｉ，利用）との乗算値である。
【０１０６】
・更新用係数（ｉ）
ターゲット基地局の個別キャリブレーション係数（ｉ，ｊ）を調整するための係数であり、この調整により更新後のキャリブレーション係数が取得される。更新用係数（ｉ）は、以下の数式８に従って算出される。なお、なお、数式８におけるｊ番目のブランチは、連携キャリブレーションの利用ブランチと同一である。
更新用係数（ｉ）＝補正後連携キャリブレーション係数（ｉ，利用）
／個別キャリブレーション係数（ｉ，ｊ）
（数式８）
【０１０７】
・キャリブレーション係数（ｉ，ｊ）
基地局１０ｉが他の基地局とＣｏＭＰを行う場合に利用する、基地局１０ｉのｊ番目のキャリブレーション係数である。キャリブレーション係数（ｉ，ｊ）は、以下の数式９に従って算出される。
キャリブレーション係数（ｉ，ｊ）
＝個別キャリブレーション係数（ｉ，ｊ）*更新用係数（ｉ）
（数式９）
【０１０８】
〔概要〕
続いて、図１１を参照し、キャリブレーション係数の更新方法の概要を説明する。図１１は、キャリブレーション係数の更新方法を示したフローチャートである。図１１に示したように、まず、ＣｏＭＰ用のキャリブレーション係数の更新が必要なターゲット基地局、および更新に協力する協力基地局を決定する（ステップ１）。続いて、ターゲット基地局が個別キャリブレーションを行い、ブランチごとに個別キャリブレーション係数を取得する（ステップ２）。
【０１０９】
その後、ターゲット基地局と協力基地局は、連携してキャリブレーションを行い、連携キャリブレーション係数を取得する（ステップ３）。この連携キャリブレーションは、ターゲット基地局と協力基地局から１つずつ選択される利用ブランチと、基準ブランチとの間で行われるブランチキャリブレーションである。
【０１１０】
続いて、協力基地局は、ステップ３において取得した協力基地局の利用ブランチの連携キャリブレーション係数を、記憶部１９０に現在記憶されているこの利用ブランチのキャリブレーション係数と一致させるための補正係数を算出する（ステップ４）。
【０１１１】
さらに、ターゲット基地局は、ステップ３において取得したターゲット基地局の利用ブランチの連携キャリブレーション係数と、ステップ４において算出された補正係数とを乗算し、補正後連携キャリブレーション係数を算出する（ステップ５）。そして、ターゲット基地局は、数式８に従って更新用係数を算出し（ステップ６）、数式９に従って最終的なキャリブレーション係数を取得する（ステップ７）。以下、各ステップを、具体例を用いて詳細に説明する。
【０１１２】
〔ステップ１：ターゲット基地局および協力基地局の決定〕
ターゲット基地局は、上述したように、ＣｏＭＰ用のキャリブレーション係数が更新される基地局１０である。ここで、キャリブレーション係数の精度は、時間の経過と共に劣化する。そこで、基地局１０は、ＣｏＭＰ用のキャリブレーション係数の取得または更新から一定時間が経過した場合、自身をターゲット基地局として決定してもよい。また、基地局１０は、ターゲット基地局と連携キャリブレーションを行える位置に存在する基地局を協力基地局として決定してもよい。以下では、図９および図１０に示した処理によりキャリブレーション係数を取得した基地局１０Ａ〜１０Ｃのうちで、基地局１０Ａをターゲットセルとして決定し、基地局１０Ｃを協力セルとして決定した場合の処理を説明する。
【０１１３】
〔ステップ２：ターゲット基地局による個別キャリブレーション〕
ターゲットセル基地局として決定された基地局１０Ａは、フォワードループバック伝達関数Ｄ（Ａ，基準）（Ａ，ｊ）、およびバックワードループバック伝達関数Ｄ（Ａ，ｊ）（Ａ，基準）を取得し、これらに基づいて個別キャリブレーション係数（Ａ，ｊ）を取得する。ここで、以下の個別キャリブレーション係数（Ａ，ｊ）が取得されたものとする。なお、以下に示すように、更新時に取得される個別キャリブレーション係数（Ａ，ｊ）は、初期取得時に取得される個別キャリブレーション係数（Ａ，ｊ）と異なることが予想される。
個別キャリブレーション係数
（Ａ，０）＝１．０
（Ａ，１）＝０．６
（Ａ，２）＝２．２
【０１１４】
〔ステップ３：連携キャリブレーション〕
図１２および図１３は、連携キャリブレーションの過程を示した説明図である。図１２に示したように、ターゲット基地局である基地局１０Ａおよび協力基地局１０Ｃから選択された利用アンテナｂ０は、まず、基準ブランチとして選択された通信端末２０Ａのブランチから送信される無線信号を受信する。これにより、基地局１０Ａおよび１０Ｃは、フォワードループバック伝達関数Ｄ（基準）（ｉ，利用）を取得できる。
【０１１５】
続いて、基地局１０Ａおよび１０Ｃの各々は、図１３に示したように、利用アンテナｂ０から通信端末２０Ａの基準ブランチに無線信号を送信する。これにより、通信端末２０Ａは、バックワードループバック伝達関数Ｄ（ｉ，利用）（基準）を取得できる。
【０１１６】
そして、基地局１０Ａおよび１０Ｃの各々は、上記の数式７に従い、連携キャリブレーション係数（ｉ，ｊ）を取得する。なお、各ループバック伝達関数は、基地局１０Ａ、１０Ｃおよび通信端末２０Ａにより分散的に取得されることとなる。したがって、基地局１０Ａおよび１０Ｃは、連携キャリブレーション係数を取得するために必要なループバック伝達関数を、バックホールや無線通信を利用して交換してもよい。
【０１１７】
ここで、図１２および図１３に示したように、フォワードループバック伝達関数Ｄ（基準）（ｉ，利用）、およびバックワードループバック伝達関数Ｄ（ｉ，利用）（基準）として以下の値が得られたとする。
Ｄ（基準）（Ａ，０）＝０．９
Ｄ（Ａ，０）（基準）＝０．６
Ｄ（基準）（Ｃ，０）＝２．１
Ｄ（Ｃ，０）（基準）＝１．９
【０１１８】
この場合、連携キャリブレーション係数（ｉ，利用）は、数式７に基づいて以下のように算出される。
連携キャリブレーション係数
（Ａ，０）＝Ｄ（基準）（Ａ，０）／Ｄ（Ａ，０）（基準）
＝０．９／０．６＝１．５
（Ｃ，０）＝Ｄ（基準）（Ｃ，０）／Ｄ（Ｃ，０）（基準）
＝２．１／１．９≒１．１
【０１１９】
〔ステップ４：補正係数の算出〕
協力基地局である基地局１０Ｃは、ステップ３において取得した協力基地局の利用ブランチの連携キャリブレーション係数（Ｃ，０）を、基地局１０Ｃの利用ブランチの現在のキャリブレーション係数（Ｃ，０）と一致させるための係数を算出する。ここで、基地局１０Ｃの利用ブランチの現在のキャリブレーション係数（Ｃ，０）が「１．０」である場合、補正係数は以下のように算出される。
補正係数＝現在のキャリブレーション係数（Ｃ，０）
／連携キャリブレーション係数（Ｃ，０）
≒０．９０９
【０１２０】
〔ステップ５：補正後連携キャリブレーション係数の算出〕
ターゲット基地局である基地局１０Ａは、ステップ３において取得した基地局１０Ａの利用ブランチの連携キャリブレーション係数（Ａ，０）と、ステップ４において算出された補正係数とを乗算し、補正後連携キャリブレーション係数（ｉ，利用）を算出する。具体的には、補正後連携キャリブレーション係数（ｉ，利用）は、以下のように算出される。
補正後連携キャリブレーション係数（ｉ，０）
＝連携キャリブレーション係数（Ａ，０）*補正係数
＝１．５*０．９０９≒１．３６
【０１２１】
〔ステップ６：更新用係数の算出〕
基地局１０Ａは、補正後連携キャリブレーション係数（Ａ，０）と、個別キャリブレーション係数（Ａ，０）とから、上記の数式８に従って更新用係数（Ａ）を算出する。具体的には、更新用係数（Ａ）は以下のように算出される。
更新用係数（Ａ）＝補正後連携キャリブレーション係数（Ａ，０）
／個別キャリブレーション係数（Ａ，０）
＝１．３６／１．０＝１．３６
【０１２２】
〔ステップ７：最終的なキャリブレーション係数の取得〕
ターゲット基地局である基地局１０Ａは、上記の数式９に従って各ブランチの最終的なキャリブレーション係数（Ａ，ｊ）を算出する。具体的には、上記の個別キャリブレーション係数（Ａ，ｊ）および更新用係数（Ａ）が得られた場合、基地局１０Ａは各ブランチの最終的なキャリブレーション係数（Ａ，ｊ）を以下のように算出する。
最終的なキャリブレーション係数
（Ａ，０）＝個別キャリブレーション係数（Ａ，０）*更新用係数（Ａ）
＝１．０*１．３６＝１．３６
（Ａ，１）＝個別キャリブレーション係数（Ａ，１）*更新用係数（Ａ）
＝０．６*１．３６≒０．８２
（Ａ，２）＝個別キャリブレーション係数（Ａ，２）*更新用係数（Ａ）
＝２．２*１．３６≒２．９９
【０１２３】
＜５．まとめ＞
以上説明したように、本発明の実施形態による基地局１０は、個別にブランチキャリブレーションを行うことにより取得した個別キャリブレーション係数を、他の基地局の個別キャリブレーション係数と整合が取れるように調整することにより、ＣｏＭＰ用のキャリブレーション係数を取得および更新することができる。
【０１２４】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２５】
例えば、本明細書の基地局１０の処理における各ステップは、必ずしもフローチャートとして記載された順序に沿って時系列に処理する必要はない。例えば、基地局１０の処理における各ステップは、フローチャートとして記載した順序と異なる順序で処理されても、並列的に処理されてもよい。
【０１２６】
また、基地局１０に内蔵されるＣＰＵ、ＲＯＭおよびＲＡＭなどのハードウェアを、上述した基地局１０の各構成と同等の機能を発揮させるためのコンピュータプログラムも作成可能である。また、該コンピュータプログラムを記憶させた記憶媒体も提供される。
【符号の説明】
【０１２７】
１０      基地局
２０      通信端末
１１０    アナログ部
１２０    バックホール通信部
１５０    デジタル部
１６０    復調処理部
１６４    伝達関数取得部
１７０    変調処理部
１７２    キャリブレーション係数乗算部
１８０    上位レイヤ部
１８２    キャリブレーション係数取得部
１８４    キャリブレーション係数調整部
１８６    キャリブレーション係数更新部
１９０    記憶部
【図１】
2011217045.tif 000003
【図２】
2011217045.tif 000004
【図３】
2011217045.tif 000005
【図４】
2011217045.tif 000006
【図５】
2011217045.tif 000007
【図６】
2011217045.tif 000008
【図７】
2011217045.tif 000009
【図８】
2011217045.tif 000010
【図９】
2011217045.tif 000011
【図１０】
2011217045.tif 000012
【図１１】
2011217045.tif 000013
【図１２】
2011217045.tif 000014
【図１３】
2011217045.tif 000015